【事件の表示】
　特願２００９−５４４９１８号「ステアリドン酸を取り込む食物組成物」拒絶査定不服審判事件〔２００８年　７月１７日国際公開、ＷＯ２００８／０８５８４１、平成２２年　５月２０日国内公表、特表２０１０−５１６２３０号〕について、次のとおり審決する。
【結　論】
　本件審判の請求は、成り立たない。
【理　由】
第１　手続の経緯
　本願は、２００８年１月３日（パリ条約による優先権主張外国庁受理　２００７年１月３日（ＵＳ）アメリカ合衆国）を国際出願日とする出願であって、平成２５年８月２７日付けで拒絶査定がされ、これに対し、同年１２月２６日に拒絶査定不服審判が請求され、同時に手続補正がされたものである
　その後、当審において平成２７年３月２６日付けで拒絶理由が通知され、同年６月３０日付けで審判請求人から意見書及び手続補正書が提出された。
第２　当審で通知した拒絶理由の概要
　当審において平成２７年３月２６日付けで通知した拒絶理由は、少なくとも特許法第３６条第６項第２号、第３６条第６項第１号及び第２９条第２項を根拠とするものであり、その概要は、以下のとおりである。
 
（特許法第３６条第６項第２号）
請求項１について 
 ・「貯蔵寿命」とは、その意味するところが理解できない。明細書には定義もなされていない。 
 ・「香味料分解」とは、その意味するところが理解できない。 
（特許法第３６条第６項第１号）
　本願の請求項１には、「少なくとも5％長い貯蔵寿命を示し、ここに該トランスジェニック植物からの油が油中の脂肪酸の総重量に基づいて少なくとも10重量%のステアリドン酸を含み、」と記載されているが、5％長い貯蔵寿命及び少なくとも10重量%のステアリドン酸含有量については、明細書の発明の詳細な説明に記載されていない。記載されているとするならば、具体的な記載箇所を示して説明されたい。 
　請求項４の「１５％長い」、請求項６の「0.1重量％ないし80重量％のステアリドン酸を含む」、請求項７の「40重量％未満のリノール酸を含む」、請求項８の 「10重量％のステアリドン酸、少なくとも400ppmのトコフェロールおよび最大で35重量％のリノール酸」についても同様で明細書の発明の詳細な説明に記載されていない。 
（特許法第２９条第２項）
　本願の請求項１ないし１４に係る発明は、下記の刊行物に記載された発明に基いて、当業者が容易に発明をすることができたものであるから、特許法第２９条第２項の規定により特許を受けることができない。
　　　　　　　　　　　　　　　記
　引用文献１．国際公開第２００６／０５２６６２号 
 
第３　判断
１　特許法第３６条第６項第２号について
（１）平成２７年６月３０日付けの手続補正書により補正された特許請求の範囲の請求項１の記載は以下のとおりである。
「【請求項１】
　ダイズタンパク質およびトランスジェニック植物からの油を含む食品であって、香味料分解に対して、ステアリドン酸ではなくエイコサペンタン酸を有する以外は同一の食品よりも少なくとも5％長い貯蔵寿命を示し、ここに該トランスジェニック植物からの油が油中の脂肪酸の総重量に基づいて少なくとも10重量%のステアリドン酸を含み、ダイズタンパク質がダイズ粉、脱脂ダイズ粉、ダイズタンパク質濃縮物、特定のきめを出したダイズタンパク質濃縮物、加水分解ダイズタンパク質、ダイズタンパク質単離物、および噴霧乾燥豆腐よりなる群から選択される該食品。」
 
（２）上記記載において「香味料分解に対して、ステアリドン酸ではなくエイコサペンタン酸を有する以外は同一の食品よりも少なくとも5％長い貯蔵寿命を示し」と、「香味料分解」に対して、長い「貯蔵寿命」を示すことが記載されている。
　しかし、「香味料分解」が不明確であり、その結果、香味料分解に対して、長い「貯蔵寿命」を示すことがどのようなことを特定しているのか理解できない。
　したがって、請求項１に係る発明は明確でない。
　以下、詳述する。
 
（３）上記（２）について、請求人は、平成２７年６月３０日付け意見書において、「『貯蔵寿命』とは、対象物が利用できる、消費に適するまたは販売できる期間の長さであります。当業者であれば、どのようにして貯蔵期間を測定するかがわかり、したがって、この用語は理解されるものであると思料します。
　『香味料分解』とは、当業者であればこの用語の意味を知っており、以下に論じる標準官能試験や特徴の知識を用いて、本願発明の特徴の境界を理解すると思料します。」（３ページ１６〜２０行）、
「食品の感覚属性を評価する標準化された感覚評価を使用することは当該術分野でよく知られていることであり、例えば、『Sensory Evaluation of Food: Principles and Practice』, 1999, Chapter 1, “INTRODUCTION AND OVERVIEW”, 1-28頁に以下のように記載されています：
『The sensory test design involves not only the selection of an appropriate method but also of appropriate participants and statistical analyses.  The three classes of sensory tests can be divided into two types: analytical sensory tests, including discrimination and descriptive methods, and affective or hedonic tests, such as those involved in assessing consumer liking or preferences (Lawless and Claassen 1993).  For the analytic tests, panelists are selected based on having average to good sensory acuity for the critical characteristics (tastes, smells, textures, etc.) of products to be evaluated.  They are familiarized with the test procedures and may undergo greater or lesser amounts of training, depending on the method.  In the case of descriptive analysis, they adopt an analytical frame of mind, focusing on specific aspects of the product as directed by the scales on their questionnaires.  They are asked to put aside personal preferences and hedonic reactions aside, as their job is only to specify what attributes are present in the product and at what levels of sensory intensity, extent, amount, or duration』（13頁）（以下、和訳）
『感覚試験の設計には、適当な方法のみならず、適当な参加者や統計解析も含まれる。３つのクラスの感覚試験は２つのタイプに分けることができる：区別および記述の方法を含む分析感覚試験および消費者の連鎖または好みを評価することに含まれるもののような情緒的または快楽主義的試験（LawlessおよびClaassen，1993）。分析試験については、パネリストは評価する製品の重要な特徴（味、臭い、テクスチャーほか）に良好な感覚的鋭さについて平均値を有することに基づいて選抜する。パネリストは試験方法に慣れており、方法によっては、より多いまたは少ない量の訓練を受けていてもよい。記述の方法の場合には、彼らは意向の分析枠を採用し、彼らの質問のスケールによって方向付けられた製品の具体的な態様に焦点をあてる。彼らには個人的な好みおよび快楽主義的な反応をわきへやることが求められる。彼らの仕事は製品にどのような属性が存在するのか、および感覚の強度、程度、量または期間のレベルを特定することのみにあるからである。』
『Descriptive analysis has proved to be the most comprehensive and informative sensory evaluation tool.  It is applicable to the characterization of a wide variety of product changes and research questions in food product development. The information can be related to consumer acceptance information and to instrumental measures by means of statistical techniques such as regression and correlation』（10頁）（以下、和訳）
『記述分析は最もわかりやすく、かつ、情報を与える感覚評価ツールであることが証明されている。それは広範な種々の製品変更の特徴付けおよび食品開発における研究の質問に適用可能である。情報は、消費者の受け入れ性情報に関連付けることができ、回帰および相関のような統計学的技術によって機器測定に関連付けることができる』」（３ページ下から１行〜４ページ３９行）と主張している。
（４）しかしながら、「香味料分解」について、本願明細書の発明の詳細な説明には、その定義は記載されていない。請求人は、「当業者であればこの用語の意味を知っており、以下に論じる標準官能試験や特徴の知識を用いて、本願発明の特徴の境界を理解すると思料します」と主張するが、「香味料分解」がどのようなことを特定しているのか直接的な説明はなく、上記標準官能試験についての説明にも、「香味料分解」についてどのような官能試験を行うものであるのかについての記載はない。
　仮に、「香味料分解」が「香味料が分解すること」を意味していると解すると、一般に、「香味料」という用語は、「飲食物に香味を添えるもの。シソ・ネギ・ユズ・ミョウガ・ゴマなど。」（広辞苑第六版）を意味していて、「シソ・ネギ・ユズ・ミョウガ・ゴマなど」が分解するということも請求項１に係る「ダイズタンパク質およびトランスジェニック植物からの油を含む食品」との関係でどのようなことを意味しているのか直ちには理解できない。発明の詳細な説明において、香味料に関する記載をみると、「用いた例は異なるタイプの均質および熱処理ユニット（直接蒸気、間接蒸気ほか）にも適用することができる。プレーン、チョコレート、リンゴ、オレンジ、ベリー他を含む異なる豆乳香味料は同様にして調製することができる。」（段落【００８４】）、「第１のアプローチにおいて、豆乳はSDAに富んだダイズ粉を利用する実施例4の最初の部分に記載したように調製する。安定化剤、香味料および果実を含むさらなる成分は均質化の前に添加する。下記は生成物に使用した処方である。」（段落【００９１】）とあるものの、これらの記載から「香味料」がどのようなものを特定しているのかは明らかではない。
　さらに、「香味」について記載されている箇所をみるに、表３ａ、表３ｂ、表３ｃ、表６ａ、表６ｂ、表８ａ、表８ｂ、表８ｃ、表８ｄ、表１２及び表１７には、「香味」及び「合計香味」の欄が設けられ、表４ａ及び表７ａには、「香味料」の欄が設けられ、表５には、「合計香味　基本的な味を含む、試料の合計の香味の強さ」との記載、表１１には、「天然および人工の香味料」との記載、図２ａ、図２ｃ、図３ａ、図３ｃ、図４ａ、図４ｃ、図５ａ及び図６ｃには、「合計オフ香味」との記載、図２ｅ、図３ｅ、図４ｅには、「合計香味」との記載、図２ｂ、図２ｄ、図３ｂ、図３ｄ、図４ｂ、図４ｄ、図５ｂには、「酸化油香味」との記載、図６ｂには、「合計酸化油香味」との記載があるが、これらから、「香味料分解」がどのようなことを特定しているのか理解できない。
　そうすると、「香味料分解」がどのようなことを特定しているのかは不明確であるし、その不明確な用語を用いて特定する、「『香味料分解に対して』『長い貯蔵寿命を示すこと』」がどのようなことを特定しているのかもまた不明確である。
　
　よって、「香味料分解」及び香味料分解に対して、長い「貯蔵寿命」を示すことがどのようなことを特定しているのかが明確でないから、請求項１に係る発明は明確でない。
 
　よって、本願の特許請求の範囲の請求項１の記載は、特許法第３６条第６項第２号に規定する要件を満たしていない。
 
２　特許法第３６条第６項第１号について
（１）本願明細書の記載（主に、「ステアリドン酸（ＳＤＡ）」、「リノール酸」及び「トコフェロール」に関する記載部分の抜粋）
「【発明の詳細な説明】
【技術分野】
【０００１】
　本発明は、機能性食品の開発における形質転換的に由来するステアリドン酸の利用に関する。より詳細には、本発明は、トランスジェニック植物由来のステアリドン酸の使用を介した食品の栄養品質および貯蔵寿命の両方の改善に関する。」
「【発明の概要】
【発明が解決しようとする課題】
【００１１】
　本発明は、末端消費者の健康を改善するための食品に使用するための顕著な量のステアリドン酸（18：4ω3）を含有するよう設計したトランスジェニック・ダイズからの油の生成を包含する。十分な量のSDAに富むダイズを成長させて、実質的なSDA成分を含むダイズ油の送達を許容する。この「SDA油」は、いずれのオメガ-3油と比較しても、初期の食用に適した風味、長い貯蔵寿命安定性および高められた栄養品質を提供する。貯蔵の間に油の品質を維持する手段も開発した。SDA油から製造した幾つかの食品も製造し、ダイズ油のような従来の油から製造した製品と比較して同様の味および感覚特性を有することを見出した。
【００１２】
　また、本発明によれば、食品の貯蔵寿命試験も行い、植物由来のSDA油は他のオメガ-3含有生成物と比較して実質的に改善された貯蔵寿命特性を有する。したがって、本発明の好ましい形態は、ヒト消費用の食品の製造におけるトランスジェニック植物によって生成したSDA油の用法である。
【００１３】
　栄養学的な研究により、アルファ-リノレン酸と比較してSDAはイン・ビボ(in vivo)でEPAに約5倍効率的に変換されることが示された。したがって、本発明のもう１の形態において、植物由来のSDAは、ある種の病理状態についてのニュートラシューティカル・サプリメントまたは食餌療法添加剤として利用し得る。
【００１４】
　詳細には、本発明は、許容し得る食品がステアリドン酸を用いて製造することができ、その貯蔵寿命を匹敵するPUFA油のものを超えて増大することができることを示す。」
「【００３１】
　上述のように、本発明によれば、組換え脂肪種子植物において産生されたSDAに富む油は、食品製造業者に以前は入手できなかった油組成を提供する。それは、本発明より前に典型的な植物油中に測定できるほどの量で存在していなかった食品中のオメガ-3油の取込みを提供する。また、このオメガ-3油の使用は、かかる油が魚または藻類起源から送達される場合は、食物の感覚的品質または貯蔵期間に関する伝統的な関心なしに可能である。油を送達した後、それを採取し、焼いた製品、日常品、スプレッド（spread）、マーガリン、スポーツ製品、栄養バーおよび乳幼児用のミルク、飼料、水産養殖、ニュートラシューティカルおよび医薬用途の生産に利用することができる。各々が高められた栄養含量を有する。
【００３２】
　表1bに転じて、本発明の有用性を説明するために、広範な範囲の食物カテゴリーを代表する種々の食品を選択して、製品味覚および貯蔵寿命に対するSDAおよび他のオメガ-3油の影響を決定した。
【００３３】
　受け入れた貯蔵寿命感覚試験によって測定した酸化安定性は、脂肪および油の有用な寿命および香味特徴を決定する重要なPUFA特徴である。脂肪および油の酸化的な劣化は、過酸化値（一次酸化から生じる過酸化物を測定する、PV）およびp-アニシジン値（二次酸化から生じる2-アルケナールを主に測定する、AV）のような湿潤化学法、あるいは食物においては感覚試食試験によって評価することができる。選択した食物カテゴリーおよび食品は、以下のとおりである：」
「【００３５】
　本実験により、トランスジェニックSDAを取り込む食品の開発は幾つかの処方および方法を提供した。さらなる開発および研究は、香味最適化および貯蔵寿命特徴の向上のために行った。例えば、本発明のSDA組成物を含み得る食品または飲料には、焼いた製品および焼いた製品の混合物（例えば、ケーキ、ぶどうパン、マフィン、クッキー、練り粉菓子、パイおよびパイの皮）、ショートニングおよび油生成物（例えば、ショートニング、マーガリン、揚げ油（frying oil）、調理油およびサラダ油、ポップコーン油、サラダドレッシング、およびマヨネーズ）、油中で揚げた食物（例えば、ポテトチップ、コーンチップ、トルティヤチップ、他の揚げた澱粉質のスナック食品、フレンチフライ、ドーナッツおよびフライドチキン）、乳製品および人工乳製品（例えば、バター、アイスクリームおよび他の脂肪を含む冷凍デザート、ヨーグルト、およびナチュラルチーズ、プロセスチーズ、クリームチーズ、コテージチーズ、チーズ食品およびチーズスプレッド、ミルク、クリーム、サワークリーム、バターミルクおよびコーヒークリーマー）、肉食品（例えば、ハンバーガー、ホットドッグ、フランクフルトソーセージ、ソーセージ、ボローニャソーセージおよび他のランチョンミート、パスタ／肉製品、シチュー、サンドイッチスプレッドおよび缶詰めの魚を含む缶詰めの肉）、肉類似物、豆腐および種々のタンパク質スプレッド、甘味製品および糖菓（例えば、キャンディー、チョコレート、チョコレート菓子、粉砂糖をかけた菓子、および砂糖ごろも菓子、シロップ、クリームが詰まった菓子および果実が詰まった菓子）、木の実で造った代用バターおよび種々のスープ、クリームソース、ソースおよびグレービーソースが含まれる。前記の例の各々は、本発明の異なる形態を含む。」
「【００５４】
　本発明の方法によれば、種々のサラダドレッシングの試料を、本発明の種々の形態の確認実験および分析のために契約食品研究所に提出した。貯蔵寿命試験の一般的なアプローチは、5の属性パネリストにドレッシングを試食し、各ドレッシングについての属性および強さ（15ポイントのスケール−0は存在しない、15は極めて）に関して合意を生じた。パネリストによって同定した属性のリストは表5にある。さらなる属性は保証として同定した。属性試験の特徴を以下の表5に提供し、種々の時点での感覚試験からのデータを一緒に表6に提供する。」
「【００５６】
実施例１　サラダドレッシング
　表3a−3cは、本発明の好ましい形態のために開発したデータを表す。４ヶ月まで出力したデータのグラフ表示のための図2a−2eも参照されたい。表3a−3cに提供するデータによれば、SDAを含有する試料は対応する魚および藻のオメガ-3油処方よりも顕著に風味がなく、実質的な短い貯蔵寿命および限定された安定性なしにオメガ-3処方の存在の恩恵を提供する。刺激風味および極めて深いな臭いにより、魚および藻由来の油は単純に試験できず、3ヶ月加速評価期間から外したが、本発明のSDA組成物はそうでなかった。全体として、本発明のSDA組成物は、食餌に遊離なオメガ-3を送達するのと結合した商業的利用のための改善された安定性、低下した分解およびその結果としての高められた貯蔵寿命を証明する。
【００５７】
　特定のサラダドレッシング態様に関して、本発明のSDA組成物は、6ヶ月の室温保存後に魚および藻油よりも長い風味プロフィールを維持する高められたランチドレッシングに利用するために開発した。イタリアンドレッシングに関して、より複雑な香味系が幾分かのマスキングを呈したが、ここでも本発明のSDAを含有するドレッシングは匹敵するベースの魚／藻ドレッシングよりもより少ない不快な臭いであった。
【００５８】
イタリアン・サラダドレッシング：
　本発明によれば、室温での貯蔵寿命実験および加速実験は4ヶ月で終了した。各試料は室温にて0、2および4ヶ月ならびに1、2および3ヶ月に加速温度（95°F）にて食品研究所で訓練した属性のパネルによって評価した。ランチドレッシングに関しては、魚および藻油試料を2ヶ月時点での高い不快な臭いおよび特徴のため、3ヶ月のみ嗅いだ。本発明のSDAを含有するものを含むすべての他の試料は、3ヶ月に評価した。これは、加速貯蔵寿命評価の典型である。
【００５９】
　本発明の方法によれば、イタリアンドレッシングは他のオメガ-3含有試験対象物と比較して風味の観点で顕著な安定性を示した。加速試験は95°Fでの4ヶ月の試験を通して完了した。この時点では、すべての生成物が不快な臭いを示し、魚油は不快な注記で最高値を示した。重要なことに、本発明のSDA処方はダイズ油参照に似ていた。
【００６０】
　本発明の方法によれば、ランチスタイルのドレッシングは、他のオメガ-3を含有する魚油および藻油処方と比較して感覚パラメータに関して顕著な改善を示した。また、本発明により、加速試験が完了した。高い強さの不快な臭いが2ヶ月で魚および藻試料で発生したが、本発明のSDA油および参照ダイズ油は3ヶ月の感覚パラメータに従って評価し得た。参照およびアマ試料はより特徴的な風味を示し、本発明のSDA油よりも小さい不快な臭いであった。本発明のSDA油は魚および藻試料よりもより特徴的な風味および小さな不快な臭いを示した。このことは、SDAが魚および藻油に対して改善された貯蔵寿命を有することを示している。また、室温試験は4ヶ月を通して本発明にかかる処方について完了した。結果は、本発明のSDA試料が、本発明のSDA生成物が魚および藻油を含む他のオメガ-3源と比べて不快な臭いおよび気持ち悪い臭いについて顕著に低い特性を有することを示すことを示す。」
「【００６９】
　貯蔵寿命試験への一般的アプローチは、5の訓練した属性パネリストにドレッシングを試食させ、各ドレッシングについての属性および強度（15スケール、−0は不存在、15は最高）に関して同意を生じさせる。さらなる属性を保証のために同定する。
【００７０】
　本実施例に関して、表6a−6bは風味および稠度に対する重要なデータを提供している。ランチドレッシングの場合においては、そのより敏感な風味のために、SDAおよび競合する対照物で生成したドレッシングの間の差異はより明白である。表6a−6bは、本発明の好ましい形態について明らかにしたデータを表す。ランチドレッシングを用いたデータのグラフ表示については、図3a−3hも参照されたい。表6a−6bに提供するデータによれば、SDAを含有する試料は魚および藻油を含有するものよりも顕著に低い不快な臭いである。刺激風味および極めて気持ち悪い臭いにより、魚および藻由来の油は3ヶ月の加速評価期間から単純に除いたが、SDAは除かなかった。改善された安定性、減少した分解およびその結果として高められた貯蔵寿命を示している。」
「【００７８】
　本発明によれば、貯蔵寿命試験の一般的アプローチは、5の訓練した属性パネリストにドレッシングを試食させ、各ドレッシングについて属性および強さ（15ptのスケールで−0は不存在、15は最高）に関して同意を生じさせる。さらなる属性を保証のために同定する。」
「【００８０】
　本発明により、最初の評価後に以下のデータを生じた。サラダドレッシングの例と同様に、SDAを含有するマヨネーズの初期の風味は対照と同様であった。アマ試料は比較した他のものから最も異なっていた。
【００８１】
　本発明の方法によれば、貯蔵寿命実験、室温および加速貯蔵条件の2ヶ月の実験を行った。加速温度実験におけるすべての試料は顕著な不快な臭いを有していたが、藻油試料は最高の不快な特徴を含んでいた。SDAは他のオメガ-3を含有する油源よりも良好に発揮した。室温実験については、藻油は本発明のSDA油よりも遙かに高いレベルの不快な臭いを示した。表8a-8dおよび図4a-4eの上記データを参照されたい。
【００８２】
実施例４　豆乳
　本発明によれば、豆乳は2の異なる方法で調製し得る。第1のものは、SDAに富むダイズの外皮をとり、薄片にし、ついで十分に肥ったダイズ粉にする。豆乳は、最初にダイズ粉を水に溶解し、混合し、加工して酵素を不活性化することによって処方化する。ダイズベースを濾過してさらなる固形物を除去し、脱気する。残りの成分を添加し、混合し、ついで生成物を2ステージ・ホモジナイザーでホモジナイズし、ついで超高温（UHT）高温プロセシングユニットを通して加工する。得られた生成物は、12週の典型的な貯蔵寿命で梱包および冷蔵する。以下に示すのは表10に提供した処方であり、プロセスフロー図については図8も参照されたい。」
「【００８４】
　用いた例は異なるタイプの均質および熱処理ユニット（直接蒸気、間接蒸気ほか）にも適用することができる。プレーン、チョコレート、リンゴ、オレンジ、ベリー他を含む異なる豆乳香味料は同様にして調製することができる。
【００８５】
　得られた生成物は、本発明のSDA向上を含まない以外は同様にして処理した粉から製造した豆乳と比較して許容し得る香味および口あたりを有することが判明した。9ヶ月貯蔵寿命後の本発明の追跡で明らかにされたデータによれば、トランスジェニックSDA組成物で高められた本発明の形態とオメガ-3脂肪酸を含まない非トランスジェニック・ダイズ油を含む対照組成物との間には味覚において僅かな相違しか存在しない。このことは豆乳および果実スムージーの両方について同様であった。これらは冷蔵保存し、大部分の商業的設計においては3ヶ月の貯蔵寿命しか有しないことを特記しておく。
【００８６】
　この実施例に対する第2のアプローチは、単離したダイズタンパク質を用いること、およびSDAに富むダイズ油を添加して新たな生成物組成物を達成することである。下記は図9の対応するフロー図を有する表11に提供する処方である。」
「【００９０】
実施例５  フルーツ・スムージ
　本発明の好ましい形態によれば、豆乳からフルーツ・スムージを生じる。別の態様において、他の源のSDA油をフルーツ・スムージの開発のために使用し得る。本発明によれば、フルーツ・スムージの製造のために開発した方法を健康および栄養を高めるためのSDA油のユニークな特性を考慮する。2のスムージ型の生成物を開発し、両方の生成物は延長された貯蔵寿命特性を有することが決定された。超高低温殺菌、冷蔵保存の利用を含む方法の間は、典型的に12週の貯蔵寿命の他の冷蔵飲料を含む。混合したベリープロトタイプを本明細書に記載するが、イチゴ、ブドウ、クランベリー、オレンジ、レモン、リンゴ、パイナップル、マンゴー、イチゴ−バナナを含む他の風味およびいずれか他の果実の風味の組み合わせを開発することができる。」
「【００９９】
　本実施例の両方のアプローチから得られた生成物は、本発明のために開発した12ヶ月の冷蔵貯蔵寿命を有する本発明の典型的な果実風味のスムージー態様であった。」　 
「【０１２４】
リノール酸の減少
　オメガ-3およびオメガ-6脂肪酸は、ヒトの栄養に必要である脂肪酸であることは知られている。オメガ-6脂肪酸には、リノール酸およびその誘導体が含まれる。これらの油はヒトの栄養に必須であると考えられている。なぜなら、これらの脂肪酸は食餌で消費しなければならず、ヒトはそれらを他の食餌脂肪または栄養から製造することができず、しかもそれらは体内に貯蔵できないからである。この類の脂肪酸はエネルギーを提供し、神経細胞、細胞膜の成分でもあり、プロスタグランジンとして知られているホルモン様物質に変換される。
【０１２５】
　図１を見ると、リノール酸は2の二重結合を含む18−炭素の長鎖ポリ不飽和脂肪酸である。その1番目の二重結合はオメガ末端から6番目の炭素に生じ、それをオメガ-6油として分類している。リノール酸はヒト体内に吸収され代謝され、誘導脂肪酸、ガンマ・リノール酸（GLA）に変換され、これはジ−ホモ−ガンマ・リノール酸（DGLA）およびアラキドン酸（AA）に変換される。ついで、DGLAおよびAAは2の炭素分子が加わり、水素分子が除去されることによって2のタイプのプロスタグランジンに変換される。3のファミリーのプロスタグランジン、PGE１、PGE2およびPGE3が存在する。DGLAはPGE1に変換され、一方でAAはPGE2に変換される。PGE3はオメガ-3脂肪酸の変換によって生成する。
【０１２６】
　ヒトにおいて、オメガ-3油の消費と比べたオメガ-6の過剰な消費は、炎症−生成プロスタグランジン(PGE2）の過剰生成および非−炎症性プロスタグランジン（PGE1およびPGE2）の不足につながる場合がある。代わってこのことは、種々の他の健康問題につながる場合がある。さらにすすむと、現在市販されている一般的な調理植物油および加工食品にオメガ-6脂肪酸が存在することに起因して、消費者によるオメガ-6脂肪酸の日消費が過剰になる場合がある。オメガ-3脂肪酸消費に対するオメガ-6脂肪酸消費の比は、西洋食においては20:1に達する場合もある。より望ましい比を達成するために、本発明の形態はトランスジェニック脂肪種子植物においてSDAの生成を増大させる一方でLAの生成を減少する。得られる油は低レベルのLAを含有する一方で著量のSDAの生成を提供し、調理油から食品成分までの食品産業における種々の役割に使用することができる。
【０１２７】
上昇するトコフェロールレベル
　トコフェロールは植物油に見出される天然の抗酸化剤であり、食餌中の必須の栄養である。これらの抗酸化剤は細胞膜および他の身体の脂溶性部分、低密度リポタンパク質（LDL）コレステロールを障害から保護する。また、それは心血管疾患およびある種の形態の癌から身体を保護し、免疫向上効果が示されている。本発明によれば、トランスジェニック種子油植物の油中のトコフェロールの存在の向上は、油の消費者に有益であろう。本発明の目的に比して、現在の種々の形態で存在する高濃度のトコフェロールは油生成物の部分として有益であり、SDAの酸化を低下することもできる。」
（図５）
「
」
（図６）
「
」
（２）請求人の主張
　平成２７年６月３０日提出の意見書における当審拒絶理由に対する請求人の主張は、次のとおりである。
「・理由３（サポート要件）について
　ご指摘を賜りました記載は明細書に記載されたデータに裏付けられると思料します。したがいまして、本願明細書は上記条項に規定する要件を満たすものと思料します。」
                  　
（３）判断
　当審の平成２７年３月２６日付け拒絶理由通知書では、本願の請求項１について「少なくとも5％長い貯蔵寿命」及び「少なくとも10重量%のステアリドン酸」が、請求項３について「少なくとも15％長い」、請求項５について「0.1重量％ないし80重量％のステアリドン酸を含む」、請求項６について「40重量％未満のリノール酸を含む」、請求項７について 「少なくとも10重量％のステアリドン酸、少なくとも400ppmのトコフェロールおよび最大で35重量％のリノール酸」が明細書の発明の詳細な説明に記載されていないので、記載されているとするならば、具体的な記載箇所の説明をするように求めたが、上記（２）のとおり、「記載されたデータに裏付けられる」と主張するのみで、具体的な記載箇所に基づく説明をするものではない。
　そして、ステアリドン酸（ＳＤＡ）、リノール酸及びトコフェロールに関する本願明細書の発明の詳細な説明の記載は、上記（１）に示したとおりであって、上記拒絶理由通知書で指摘した事項は記載されておらず、また、請求人が主張する明細書のデータとは、どのデータを特定しているのか明らかでないが、全てのデータをみても、上記「少なくとも5％」、「少なくとも10重量%」、「少なくとも15％」、「0.1重量％ないし80重量％」、「40重量％未満」、「少なくとも400ppm」及び「最大で35重量％」という各数字を直ちに導くことができるとは認めることはできない。
　よって、発明の詳細な説明中に記載も示唆もされていない事項が、請求項１、３、５〜７に記載されていることは明らかである。
　さらに、本願明細書の発明の詳細な説明には、発明の課題として、貯蔵寿命について、
「【００１１】
・・・この「SDA油」は、いずれのオメガ-3油と比較しても、初期の食用に適した風味、長い貯蔵寿命安定性および高められた栄養品質を提供する。
・・・
【００１２】
　また、本発明によれば、食品の貯蔵寿命試験も行い、植物由来のSDA油は他のオメガ-3含有生成物と比較して実質的に改善された貯蔵寿命特性を有する。
・・・
【００１４】
　詳細には、本発明は、許容し得る食品がステアリドン酸を用いて製造することができ、その貯蔵寿命を匹敵するPUFA油のものを超えて増大することができることを示す。」と記載されているが、本願請求項１に係る発明の「ダイズタンパク質およびトランスジェニック植物からの油を含む食品」について、具体的に示されたものは、実施例４の「豆乳」及び実施例５の「フルーツ・スムージ」のみであって、これらについての感覚情報のTime　Point試験を示す図５及び図６をみても、本願請求項１に係る発明で特定する「香味料分解に対して、ステアリドン酸ではなくエイコサペンタン酸を有する以外は同一の食品よりも少なくとも5％長い貯蔵寿命を示」しているとはいえず、上記の課題を解決できているとは認められない。
　よって、請求項１に係る発明は、発明の詳細な説明において発明の課題が解決できることを当業者が認識できるように記載された範囲のものとはいえない。
　この点、請求項１を引用する請求項３、５〜７も同様である。
（４）以上のとおりであるから、本願特許請求の範囲の請求項１、３、５〜７の記載は、明細書のサポート要件に適合しておらず、特許法第３６条第６項第１号に規定する要件を満たしていない。
 
３　特許法第２９条第２項について
（１）請求項１に係る発明
　上記１のとおり、請求項１に係る発明は明確でなく、上記のように「香味料分解」がどのようなことを特定しているのか不明であるので、請求人の上記主張（「第３　１　（３）」）を参酌して、「香味料分解に対して」「長い貯蔵寿命を示すこと」は、単に食品が「利用できる、消費に適するまたは販売できる期間の長さ」が「長い」ことを意味していると理解して検討する。
　以下、請求項１に係る発明を「本願発明」という。
（２）引用文献
ア　当審の拒絶の理由に引用された国際公開第２００６／０５２６６２号（以下「引用文献」という。）には、図面とともに以下の事項が記載されている（下線は、当審で付与。参考訳は、対応する特表２００８−５１９１２９号による。以下同じ。）。
（１ａ）「 
7. An oil composition comprising from about 3 wt.% to about 30 wt.% stearidonic acid or a derivative thereof based upon the total weight of fatty acids or derivatives thereof in the composition, the composition having an anisidine value of less than about 3 and a peroxide value less than about 1 meq/kg.
（参考訳：
【請求項７】
組成物中の脂肪酸またはそれらの誘導体の全重量に対して約３重量％から約３０重量％のステアリドン酸またはその誘導体を含み、約３未満のアニシジン値を有し、かつ、約１ｍｅｑ／ｋｇ未満のパーオキシド値を有する油組成物。
（１ｂ）「
28. A food composition comprising the oil of any one of claims 1 to 27.
（【請求項２８】
  
請求項１〜２７いずれかに記載の油を含む、食用組成物
（１ｃ）「34. 
The food composition of claim 28 wherein the composition
soy milk
（【請求項３４】
  マヨネーズ、サラダドレッシング、
豆乳
請求項２８に記載の食用組成物
（１ｄ）「FIELD OF THE INVENTION
[0001] The present invention relates to non-hydrogenated or partially hydrogenated non-animal oils having a low level of trans-fatty acids and improved flavor and performance attributes especially suitable for food applications and processes for the preparation thereof.
 
[0002] As consumers have become more aware of the health impact of lipid nutrition, consumption of oils with high levels of unsaturated and polyunsaturated fats and low levels of trans-fats is desirable.
 
[0003] Oils containing long chain polyunsaturated fatty acids (PUFAs) can be used as food ingredients. 
PUFAs of importance include
 stearidonic acid (c/s-6,9,12,15-octadecatetraenoic acid; SDA).
 
[0004] PUFAs may be extracted from natural sources or synthesized by various organisms. However, there are several disadvantages associated with commercial production of PUFAs from natural sources. Natural sources of PUFAs, such as animals and plants, tend to have highly heterogeneous oil compositions. The oils obtained from these sources can require extensive purification to separate out one or more desired PUFAs or to produce an oil which is enriched in one or more PUFA. Fish oils containing significant quantities of EPA and DHA can have unpleasant tastes and odors, which would make them undesirable food ingredients or supplements, i-urthermore, in some cases, fish oil capsules can contain low levels of the desired component and retain undesirable levels of other components, including contaminants.
 
[0005] PUFAs are considered to be useful for nutritional, pharmaceutical, industrial, and other purposes. Therefore, 
it is of interest to extract oils having high levels of PUFAs from genetically-modified seeds
（【技術分野】
【０００１】
　本発明は、低レベルのトランス-脂肪酸および改善された味および特に食品アプリケーションに適した特性を有する非硬化または部分硬化非動物性油ならびにそれらの調製方法に関する。
【背景技術】
【０００２】
　消費者が、脂質栄養素の健康への影響について気づくにつれて、高レベルの不飽和およびポリ不飽和油脂ならびに低レベルのトランス-油脂の油の消費が望まれる。
【０００３】
　
長鎖ポリ不飽和脂肪酸(ＰＵＦＡ)を含有する油は、食物材料として用いることができる。重要なＰＵＦＡは、
ステアリドン酸(c/s-6,9,１２,１５-オクタデカテトラエン酸；ＳＤＡ)を含む
【０００４】
　ＰＵＦＡは天然起源から抽出するか、または、様々な生体によって合成することができる。しかしながら、天然起源からのＰＵＦＡの商業的生産にはいくつかの問題点がある。動物および植物のごとき、天然起源は非常に不均一な油組成物を有する傾向にある。これらの起源から得られた油は、１以上の所望するＰＵＦＡを分離し、または、１以上のＰＵＦＡを富化した油を製造するために、多大な精製を必要とする。大量のＥＰＡおよびＤＨＡを含有する魚油は不快な味および臭いを有し、それゆえ、食品材料やサプリメントとして望ましくない。さらに、いくつかの場合、魚油カプセルは低レベルの所望成分を含有し、不純物などの他の成分を望ましくないレベルで含有する。
【０００５】
　ＰＵＦＡは、栄養、医薬、工業その他の目的に対して有用であると考えられている。したがって、
遺伝子組換え種子から高レベルのＰＵＦＡを有する油を抽出することに関心が持たれ；これらの種子は、天然産のものと比較して高濃度のＳＤＡを含有するように改良されている
（１ｅ）「SUMMARY OF THE INVENTION
 
[0006] One embodiment of the invention is directed to an oil composition comprising at least 0.4 wt.% of at least one polyunsaturated fatty acid having four or more carbon-carbon double bonds or a derivative thereof based upon the total weight of fatty acids or derivatives thereof in the composition, the composition having either: a peroxide value of less than about 1 meq/kg and being derived from a source other than a marine oil; an anisidine value of less than about 3 and being derived from a source other than a marine oil; at least one additional polyunsaturated fatty acid having four or more carbon-carbon double bonds or a derivative thereof, and an anisidine value of less than about 3; at least about 400 ppm tocopherols; or less than 1 wt.% trans-fatty acid.
 
[0007] Another embodiment of the invention is directed to an oil composition comprising at least 0.4 wt.% of at least one polyunsaturated fatty acid having four or more carbon-carbon double bonds or a derivative thereof based upon the total weight of fatty acids or derivatives thereof in the composition, 
the composition being derived
soybean
[0008] 
Yet another aspect of the invention is directed to a process for maintaining the storage stability of an oil during shipment or storage
 
[0009] 
Yet another aspect of the invention is directed to a process for maintaining the storage stability of an oil during shipment or storage
（【発明の開示】
【発明が解決しようとする課題】
【０００６】
　本発明のひとつの具体例は、組成物中の脂肪酸またはその誘導体の全重量に対して、少なくとも０．４重量％の、４以上の炭素−炭素二重結合を有する少なくとも１種のポリ不飽和脂肪酸またはその誘導体を含む油組成物に向けられ、前記組成物は、約１ｍｅｑ／ｋｇ未満のパーオキシド値を有し、かつ、海洋性油以外の起源に由来するか；約３未満のアニシジン値を有し、かつ、海洋性油以外の起源に由来するか；４以上の炭素−炭素二重結合を有する少なくともひとつのさらなるポリ不飽和脂肪酸またはその誘導体および約３未満のアニシジン値を有するか；少なくとも約４００ｐｐｍトコフェロールを有するか；または１重量％未満のトランス-脂肪酸のいずれかである。
【０００７】
　本発明のもうひとつの具体例は、組成物中の脂肪酸またはそれらの誘導体全重量に対して少なくとも０．４重量％の、４以上の炭素−炭素二重結合を有する少なくとも１種のポリ不飽和脂肪酸またはそれらの誘導体を含む油組成物に向けられ、
前記組成物は
ダイズ
伝子組換え種子から誘導体される
【０００８】
　
本発明のさらに別の態様は、出荷または保存中の油の貯蔵安定性を維持する方法に向けられ
【０００９】
　
本発明のさらに別の態様は、出荷または保存中の油の貯蔵安定性を維持する方法に向けられ
（１ｆ）「[0023]
 The oils of the present invention have improved stability in terms of taste and smell and low levels of trans-fatty acids
（【００２３】
  
本発明の油は、味および臭いに関して向上した安定性および、低レベルのトランス−脂肪酸を有する
（１ｇ）「[0041] Further, the present invention is directed to 
an oil composition comprising at least about 0.4, 1 , 2, 3, 4, 5, 6, 7, 8, 9, 10, 11 , 12, 13, 14, 15, 16, 17, 18, 19, 20, 21 , 22, 23, 24, 25, 26, 27, 28, 29, 30, 31 , 32, 33, 34, 35, 36, 37, 38, 39, 40, 41 , 42, 43, 44 or 45 wt.% or more of at least one polyunsaturated fatty acid having four or more carbon-carbon double bonds or a derivative thereof,
the composition being derived from genetically-modified seed of
soybean
（【００４１】
　さらに、本発明は、
組成物中の脂肪酸またはそれらの誘導体の全重量に対して少なくとも約０．４、１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、４１、４２、４３、４４または４５重量％またはそれ以上の、４以上の炭素−炭素二重結合を有する少なくともひとつのポリ不飽和脂肪酸またはその誘導体を含む油組成物
前記組成物は、
ダイズ
の遺伝子組換え種子から誘導される
（１ｈ）「[0043] This invention is also useful for genetically modified plant oils containing elevated levels of polyunsaturated fatty acids containing three carbon- carbon double bonds or more. Examples include seeds of plants derived from Arabidopsis, canola, carrot, coconut, corn, cotton, flax, linseed, maize, palm kernel, peanut, potato, rapeseed, safflower, soybean, sunflower, and/or tobacco. Exemplary polyunsaturated fatty acids, or derivatives thereof, having three or more double bonds are stearidonic acid (SDA, C18:4), eicosatrienoic acid (EtrA, C20:3), eicosatetraenoic acid (ETA, C20:4), eicosapentaenoic acid (EPA; C20:5), docosapentaenoic acid (DPA; C22:5), docosahexaenoic acid (DHA, C22:6), gamma linolenic acid ( GLA, C18:3), dihomogammalinolenic acid (DGLA, C20:3) and arachidonic acid (AA; C20:4). Preferably, the polyunsaturated fatty acid or derivative thereof of the above described oil compositions comprises at least one omega-3 or omega-6 fatty acid, and preferably comprises omega-3 stearidonic acid (SDA, C18:4), omega-3 eicosatrienoic acid (EtrA, C20:3), omega-3 eicosatetraenoic acid (ETA, C20:4), omega-3 eicosapentaenoic acid (EPA; C20:5), omega-3 docosapentaenoic acid (DPA; C22:5), omega-3 docosahexaenoic acid (DHA, C22:6)), omega-6 gamma linolenic acid( GLA, C18:3), omega-6 dihomogammalinolenic acid (DGLA, C20:3) or omega-6 arachidonic acid (AA; C20:4).」
（【００４３】
　本発明は、上昇したレベルの３以上の炭素−炭素二重結合を含有するポリ不飽和脂肪酸を含有する遺伝子組換え植物性油にも有用である。例えば、アラビドプシス (Arabidopsis)、カノーラ、ニンジン、ココナッツ、コーン (corn)、綿、亜麻 (flax)、亜麻仁 (linseed)、トウモロコシ (maize)、パーム核 (palm kernel)、ピーナッツ、ジャガイモ、ナタネ (rapeseed)、サフラワー、ダイズ、ヒマワリ、および／またはタバコから誘導される植物の種子を含む。３以上の二重結合を有する代表的なポリ不飽和脂肪酸またはそれらの誘導体は、ステアリドン酸 (SDA; C18:4)、エイコサトリエン酸 (EtrA; C20:3)、エイコサテトラエン酸(ETA、C20:4)、エイコサペンタエン酸 (EPA; C20:5)、ドコサペンタエン酸 (DPA; C22:5)、ドコサヘキサエン酸 (DHA; C22:6)、ガンマリノレン酸 (GLA; C18:3)、ジホモガンマリノレン酸 (DGLA; C20:3)およびアラキドン酸 (AA; C20:4)である。好ましくは、上記油組成物のポリ不飽和脂肪酸またはその誘導体は、少なくとも１種のオメガ−３またはオメガ−６脂肪酸を含み、好ましくはオメガ−３ステアリドン酸 (SDA; C18:4)、オメガ−３エイコサトリエン酸 (EtrA; C20:3)、オメガ−３エイコサテトラエン酸 (ETA、C20:4)、オメガ−３エイコサペンタエン酸 (EPA; C20:5)、オメガ−３ドコサペンタエン酸 (DPA; C22:5)、オメガ−３ドコサヘキサエン酸 (DHA; C22:6))、オメガ−６ガンマリノレン酸 (GLA; C18:3)、オメガ−６ジホモガンマリノレン酸 (DGLA; C20:3)またはオメガ−６アラキドン酸 (AA; C20:4)を含む。）
（１ｉ）「[0045] As discussed herein above, oils having relatively higher concentrations of omega-3 fatty acid units are advantageous food ingredients. The process of the present invention can be used to extract oils from oilseeds containing at least one polyunsaturated fatty acid having four or more carbon-carbon double bonds or a derivative thereof, such as stearidonic acid, in an amount greater than about 0.4, 1 , 2, 3, 4, 5, 6, 7, 8, 9, 10, 11 , 12, 13, 14, 15, 16, 17, 18, 19, 20, 21 , 22, 23, 24, 25, 26, 27, 28, 29, 30, 31 , 32, 33, 34, 35, 36, 37, 38, 39, 40, 41 , 42, 43, 44 or 45 wt.% or more based on the total weight of fatty acids in the composition, the composition having an anisidine value of less than about 0.1 , 0.2, 0.3, 0.4, 0.5, 0.6, 0.7, 0.8, 0.9, 1.0, 1.1, 1.2, 1.3, 1.4, 1.5, 1.6, 1.7, 1.8, 1.9, 2.0, 2.1 , 2.2, 2.3, 2.4, 2.5, 2.6, 2.7, 2.8, 2.9 or 3.0. Preferably, the oilseeds extracted are seeds containing a similar proportion of SDA to total fatty acid content as the oil composition. Therefore, the SDA content in the whole seed is at least about 0.4 wt.% of its total fatty acid concentration. Furthermore, the SDA content in the oil throughout the process is at least about 0.4, 0.5, 1 , 2, 3, 4, 5, 6, 7, 8, 9, 10, 11 , 12, 13, 14, 15, 16, 17, 18, 19, 20, 21 , 22, 23, 24, 25, 26, 27, 28, 29, 30, 31 , 32, 33, 34, 35, 36, 37, 38, 39 or 40 wt.% based on the total weight of fatty acids in the composition.」
（【００４５】
　上記のごとく、比較的高濃度のオメガ−３脂肪酸単位を有する油は有利な食品成分である。本発明の方法を用いて、ステアリドン酸のごとき４以上の炭素−炭素二重結合を有する少なくともひとつのポリ不飽和脂肪酸またはその誘導体を含有する脂肪種子から、組成物中の脂肪酸の全重量に対して約０．４、１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、４１、４２、４３、４４または４５重量％またはそれ以上を超える量にて油を抽出し得、前記組成物は、約０．１、０．２、０．３、０．４、０．５、０．６、０．７、０．８、０．９、１．０、１．１、１．２、１．３、１．４、１．５、１．６、１．７、１．８、１．９、２．０、２．１、２．２、２．３、２．４、２．５、２．６、２．７、２．８、２．９または３．０未満のアニシジン値を有する。好ましくは、抽出された脂肪種子は、全脂肪酸含有量に対して前記油組成物と同様の比率でＳＤＡを含有する種子である。したがって、種子全体のＳＤＡ含有量は、全脂肪酸濃度の少なくとも約０．４重量％である。さらに、当該方法を通じて、油中のＳＤＡ含有量は、組成物中の脂肪酸の全重量に対して少なくとも約０．４、０．５、１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９または４０重量％である。）
（１ｊ）「[0053] 
Some of the various oils of the present invention can be extracted from plant tissue, including plant seed tissue.
the extraction and/or stabilization of polyunsaturated fatty acid 
from plants and/or recombinant plants
soybean
（【００５３】
　
本発明の種々の油のうちのいくつかは、植物種子組織を含む植物組織から抽出できる
植物ならびに
遺伝子操作された植物
ダイズ
植物および／または組換え植物からの
（１ｋ）「
IV. Food Products
[0095] Food products can be prepared comprising any one of the oil compositions described above in section I. In particular, the food composition can comprise a food product or food analog comprising a spray-dried or freeze-dried food particle, an extruded food, a meat product, a meat analog,
 a cereal product, a snack food
 a health food
an adult nutritional formula, an infant formula
a soymilk
 a nutritional supplement
a cereal, a snack bar, a nutritional bar
（【００９５】
ＩＶ．食品
　節Ｉに記載の油組成物のいずれか１を含む食品を調製できる。特に、食用組成物は、スプレードライまたはフリーズドライの食品片 (food particle)、押出し物(an extruded food)、肉製品、疑似肉、
シリアル製品、スナック食品
健康食品
成人用栄養補給調製物 (an adult nutritional formula)、幼児用調製物(an infant formula)
豆乳
栄養サプリメント
グラノーラ、シリアル、スナックバー、栄養補給バー、または菓子
（１ｌ）「[0096] One advantage of the oils containing four or more double bonds made from the process of this invention is that they are bland in odor and flavor. They also can be stored at room temperature for a period of time while retaining their flavor and sensory properties. In addition, they have the advantage of being able to be stored under refrigeration while still remaining bland. These oils can also be encapsulated or frozen by methods well known in the art for fish oil stabilization.」
（【００９６】
　本発明の方法により製造された４以上の二重結合を含有する油のひとつの利点は、それらが味および臭いに関して無刺激であることである。それらは、また、それらの風味および官能特定を維持したまま、室温である期間貯蔵できる。さらに、依然として無刺激を維持したまま冷蔵条件で貯蔵できる利点を有する。これらの油は、魚油安定化のために当該分野でよく知られた方法によってカプセル化または冷凍できる。）
（１ｍ）「Example 2: Aging Studies at 55℃ and 25℃
 
[00102] The oils included in this study were: 20% SDA Test Article (TA) processed at lab scale and pilot scale (PS), nulls that were isolines, and thus, were SDA negative (prepared using the process conditions of examples 45 and 46 described in U.S. Patent Application Serial No.
　　　　　　 
（【０１０２】
実施例２：５５℃および２５℃でのエージング実験
　この実験に含まれる油は：実験規模およびパイロット規模(PS)で加工された２０％ＳＤＡテストアーティクル（ＴＡ）；等価であり、ＳＤＡネガティブである（Processes for Preparation of oil componentsと題され、２００５年１１月４日に出願され、代理人番号MTC6921.201 (38-21 (53354C))の米国特許出願番号
　　　　　　
（１ｎ）「BRIEF DESCRIPTION OF THE DRAWINGS
 
[0013] Figure 1A is a graph of peroxide value (PV) vs. time for an oil composition comprising 20 wt.% stearidonic acid (SDA) and various added stabilizers. The graph of figure 1 shows the results of an accelerated aging test carried out at 55 ℃.
 
[0014] Figure 1B is a graph of anisidine value (AV) vs. time for an oil composition comprising 20 wt.% stearidonic acid (SDA) and various added stabilizers. The graph of figure 1 shows the results of an accelerated aging test carried out at 55 ℃.
[0015] Hgure 2A is a graph of PV vs. time for 20% SDA, 4% SDA blend, 20% SDA with citric acid, and control soy oil compositions. The graph of figure 2 shows the results of an accelerated aging test carried out at 55 ℃.
 
[0016] Figure 2B is a graph of AV vs. time for 20% SDA, 4% SDA blend, 20% SDA with citric acid, and control soy oil compositions. The graph of figure 2 shows the results of an accelerated aging test carried out at 55℃.
 
[0017] Figure 3A is a graph of PV vs. time for 20% SDA, 4% SDA blend, 20% SDA with citric acid, and control soy oil compositions. The graph of figure 3 shows the results of a room temperature aging test carried out at 25℃.
 
[0018] Figure 3B is a graph of AV vs. time for 20% SDA, 4% SDA blend, 20% SDA with citric acid, and control soy oil compositions. The graph of figure 3 shows the results of a room temperature aging test carried out at 25℃.
 
[0019] Figure 4 is a graph of AV vs. time for 20% SDA, 20% SDA and citric acid, commercial fish, and bioequivalent SDA blend oil compositions. The graph of figure 4 shows the results of an accelerated aging test carried out at 55℃.
 
[0020] Figure 5 is a graph of peroxide value (PV) vs. time for a 20% SDA oil composition containing 200 ppm ascorbyl palmitate and 0, 30, 60, and 120 ppm propyl gallate. The graph of figure 5 shows the results of an accelerated aging test carried out using a thin film IR method at 60℃.
 
[0021] Figure 6A is a graph of peroxide value (PV) vs. time for a 20% SDA oil composition containing (i) ascorbyl palmitate (AP) and TBHQ, (ii) citric acid (CA) and ascorbyl palmitate (AP), and (iii) citric acid (CA), TBHQ, and ascorbyl palmitate (AP).
 
[0022] Figure 6B is a graph of anisidine value (AV) vs. time for a 20% SDA oil composition containing (i) ascorbyl palmitate (AP) and TBHQ, (ii) citric acid (CA) and ascorbyl palmitate (AP), and (iii) citric acid (CA), TBHQ, and ascorbyl palmitate (AP). 」
（図１Ａは、２０重量％のステアリドン酸(ＳＤＡ)および添加された種々の安定化剤を含む油組成物についてのパーオキシド値(ＰＶ)対時間のグラフである。図１のグラフは、５５℃で行われた加速エージング試験の結果を示す。
図１Ｂは、２０重量％のステアリドン酸(ＳＤＡ)および添加された種々の安定化剤を含む油組成物についてのアニシジン値(ＡＶ)対時間のグラフである。図１のグラフは、５５℃で行われた加速エージング試験の結果を示す。
図２Ａは、２０％ＳＤＡ、４％ＳＤＡブレンド、２０％ＳＤＡ入りクエン酸および対照ダイズ油組成物についてのＰＶ対時間のグラフである。図２のグラフは、５５℃で行われた加速エージング試験の結果を示す。
図２Ｂは、２０％ＳＤＡ、４％ＳＤＡブレンド、２０％ＳＤＡ入りクエン酸および対照ダイズ油組成物についてのＡＶ対時間のグラフである。図２のグラフは、５５℃で行われた加速エージング試験の結果を示す。
図３Ａは、２０％ＳＤＡ、４％ＳＤＡブレンド、２０％ＳＤＡ入りクエン酸および対照ダイズ油組成物についてのＰＶ対時間のグラフである。図３のグラフは、２５℃で行われた室温エージング試験の結果を示す。
図３Ｂは、２０％ＳＤＡ、４％ＳＤＡブレンド、２０％ＳＤＡ入りクエン酸および対照ダイズ油組成物についてのＡＶ対時間のグラフである。図３のグラフは、２５℃で行われた室温エージング試験の結果を示す。
図４は、２０％ＳＤＡ、２０％ＳＤＡ入りクエン酸、市販魚油、および生物学的等価なＳＤＡブレンド油組成物についてのＡＶ対時間のグラフである。図４のグラフは、５５℃で行われた加速エージング試験の結果を示す。
図５は、２００ｐｐｍのパルミチン酸アスコルビルならびに０、３０、６０、および１２０ｐｐｍの没食子酸プロピルを含む２０％ＳＤＡ油組成物についてのパーオキシド値(ＰＶ)対時間のグラフである。図５は、薄膜ＩＲを用いて６０℃にて行われた加速エージング試験の結果を示す。
図６Ａは、（ｉ）パルミチン酸アスコルビル（ＡＰ）およびＴＢＨＱ、（ｉｉ）クエン酸（ＣＡ）およびパルミチン酸アスコルビル（ＡＰ）、ならびに、（ｉｉｉ）クエン酸（ＣＡ）、ＴＢＨＱ、およびパルミチン酸アスコルビル（ＡＰ）を含有する２０％ＳＤＡ油組成物についてのパーオキシド値(ＰＶ)対時間のグラフである。
図６Ｂは、（ｉ）パルミチン酸アスコルビル（ＡＰ）およびＴＢＨＱ、（ｉｉ）クエン酸（ＣＡ）およびパルミチン酸アスコルビル（ＡＰ）、ならびに、（ｉｉｉ）クエン酸（ＣＡ）、ＴＢＨＱ、およびパルミチン酸アスコルビル（ＡＰ）を含有する２０％ＳＤＡ油組成物についてのアニシジン値(ＡＶ)対時間のグラフである。）
　以上より、請求項７を引用する請求項２８に係る発明の食用組成物において、油組成物として遺伝子組換えしたダイズから誘導されるものに着目すると（上記記載事項（１ｅ））、引用文献には、以下の発明（以下「引用発明」という。）が記載されている。
「遺伝子組換えしたダイズから誘導される油組成物を含む食用組成物であって、油組成物中の脂肪酸またはそれらの誘導体の全重量に対して約３重量％から約３０重量％のステアリドン酸を含み、約３未満のアニシジン値を有し、かつ、約１ｍｅｑ／ｋｇ未満のパーオキシド値を有する油を含む食用組成物。」
（３）対比
　引用発明の「食用組成物」は、本願発明の「食品」に相当する。
　引用発明の「遺伝子組換えしたダイズ」は、本願発明の「トランスジェニック植物」に相当する。
　そうすると、引用発明の「遺伝子組換えしたダイズから誘導される油組成物」は、本願発明の「トランスジェニック植物からの油」に相当する。　
　引用発明の「油組成物中の脂肪酸またはそれらの誘導体の全重量に対して約３重量％から約３０重量％のステアリドン酸を含」むことは、その上限値「約３０重量％」は、本願発明の「少なくとも10重量%」に含まれることから、本願発明の「該トランスジェニック植物からの油が油中の脂肪酸の総重量に基づいて少なくとも10重量%のステアリドン酸を含」むことに相当する。
　よって、本願発明と引用発明との一致点、相違点は以下のとおりである。
［一致点］
「トランスジェニック植物からの油を含む食品であって、該トランスジェニック植物からの油が油中の脂肪酸の総重量に基づいて少なくとも10重量%のステアリドン酸を含む、食品。」
［相違点１］
　食品について、本願発明は、「ダイズタンパク質」を含み、「ダイズタンパク質」として、「ダイズ粉、脱脂ダイズ粉、ダイズタンパク質濃縮物、特定のきめを出したダイズタンパク質濃縮物、加水分解ダイズタンパク質、ダイズタンパク質単離物、および噴霧乾燥豆腐よりなる群から選択される」としているのに対して、引用発明は、そのような特定を行っていない点。
［相違点２］
　本願発明は、「香味料分解に対して、ステアリドン酸ではなくエイコサペンタン酸を有する以外は同一の食品よりも少なくとも5％長い貯蔵寿命を示」すとしているのに対して、引用発明は、そのような特定を行っていない点。
（４）判断
ア　相違点１について
　引用発明の食用組成物は、シリアル製品、スナック食品、健康食品、成人用栄養補給調製物、幼児用調製物、豆乳、栄養サプリメント、グラノーラ、、シリアル、栄養補給バー、菓子等とされていて（上記記載事項（１ｃ）、（１ｋ））、これらの食用組成物を製造する際に、栄養バランスを考慮してタンパク質を添加して補強することは普通に行われることであり、また、タンパク質を補強する場合に、本願優先日前に周知のものである、ダイズ粉、脱脂ダイズ粉、ダイズタンパク質濃縮物、特定のきめを出したダイズタンパク質濃縮物、加水分解ダイズタンパク質、ダイズタンパク質単離物、及び噴霧乾燥豆腐等のダイズタンパク質を選択することも当業者が適宜なし得た事項である。
　よって、相違点１に係る本願発明の構成は、引用発明及び本願優先日前に周知のものに基いて、当業者が容易に想到し得たものである。
イ　相違点２について
　上記「３　（１）請求項１に係る発明」において、検討したとおり、「香味料分解に対して」「長い貯蔵寿命を示すこと」は、食品が「利用できる、消費に適するまたは販売できる期間の長さ」が「長い」ことを意味するものと解すと、上記相違点２は、本願発明が、ステアリドン酸ではなくエイコサペンタン酸を有する以外は同一の食品よりも、少なくとも５％「利用できる、消費に適するまたは販売できる期間の長さ」が「長い」という結果を特定しているにすぎない。
　そして、引用発明の「油」は、上記記載事項（１ｅ）の段落【０００８】及び【０００９】の油の貯蔵安定性を維持すること、並びに上記記載事項（１ｆ）の油の味及び臭いに関して向上した安定性を有することを考慮したものであるから、当該油を含む引用発明の食用組成物においても「利用できる、消費に適するまたは販売できる期間の長さ」が「長い」ものとすることは当業者が容易になし得たことである。そして、「貯蔵寿命」が「長い」ものとする程度を、「香味料分解に対して、ステアリドン酸ではなくエイコサペンタン酸を有する以外は同一の食品よりも少なくとも5％長い貯蔵寿命を示」すとすることも、当業者が適宜なし得た事項である。
　よって、相違点２に係る本願発明の構成は、引用発明に基いて、当業者が容易に想到し得たものである。
ウ　効果について
　本願発明が、引用発明及び本願優先日前に周知のものから予測できない格別顕著な効果を奏するものとは認められない。
 
（５）小括
　上記相違点を総合判断しても、本願発明は、引用発明及び本願優先日前に周知のものに基いて当業者が容易に発明をすることができたものであるから、特許法第２９条第２項の規定により特許を受けることができない。
 
第４　むすび
　本願の特許請求の範囲の請求項１の記載は、特許法第３６条第６項第２号に規定する要件を満たしていない。
　本願の特許請求の範囲の請求項１、３、５〜７の記載は、特許法第３６条第６項第１号に規定する要件を満たしていない。
　また、本願発明は、引用発明及び本願優先日前周知技術に基いて、当業者が容易に発明をすることができたものであるから、特許法第２９条第２項の規定により特許を受けることができない。
　したがって、本願は、他の請求項に係る発明について検討するまでもなく、拒絶すべきものである。
　よって、結論のとおり審決する。